(57)【要約】【課題】簡単な構造で而も取付け作業が簡単なシャッタ用中柱を提供する。【解決手段】中柱１６の下端に下方に突出する突出部１９を設け、床１１面側に前記突出部が嵌入する受け部１２を設け、前記中柱に水平方向の力が作用して撓み前記突出部が上昇した場合に水平方向に変位する様にし、前記受け部には前記突出部の上昇と水平方向の変位で該突出部に係合する部材１３を設け、前記突出部と前記部材の係合により前記突出部の上方への移動を拘束する様構成した。【選択図】        図２
2004156212.tif 000002
【特許請求の範囲】
【請求項１】
中柱の下端に下方に突出する突出部を設け、床面側に前記突出部が嵌入する受け部を設け、前記中柱に水平方向の力が作用して撓み前記突出部が上昇した場合に水平方向に変位する様にし、前記受け部には前記突出部の上昇と水平方向の変位で該突出部に係合する部材を設け、前記突出部と前記部材の係合により前記突出部の上方への移動を拘束する様構成したことを特徴とするシャッタ用中柱。
【請求項２】
前記突出部は欠切部が形成された平板形状であり、前記部材は受け部の上面に設けられ、前記突出部が嵌入するスリット状の受け孔が穿設されている請求項１のシャッタ用中柱。
【請求項３】
前記突出部は溝が形成されたピンであり、前記部材は受け部の上面に設けられ、前記突出部が嵌入する円形の受け孔が穿設されている請求項１のシャッタ用中柱。
【請求項４】
前記突出部は、狭幅部と下端にフランジを有し、前記部材は受け部の上面に設けられ、前記突出部が嵌入する受け孔が穿設されている請求項１のシャッタ用中柱。
【請求項５】
前記突出部は下端部が狭幅部となっており、該狭幅部に孔が設けられ、前記部材は受け部の側面に設けられ、前記孔に嵌合可能なピンである請求項１のシャッタ用中柱。
【請求項６】
少なくとも１つの回止め用の副突出部を設けた請求項１のシャッタ用中柱。
【発明の詳細な説明】
【０００１】
【発明の属する技術分野】
本発明は建屋等の開口部に設けられるシャッタ用中柱に関するものである。
【０００２】
【従来の技術】
建屋開口部にシャッタが複数組連設される場合は、シャッタとシャッタとの間にはシャッタカーテンをガイドする為の中柱が設けられる。この中柱は、シャッタカーテンを収納するシャッタケースと床との間に設けられ、開口部を開放した状態で邪魔にならない様に、取外しが可能となっている。
【０００３】
通常、中柱は床に設けられた凹部に嵌脱可能となっており、中柱を取付ける場合、中柱の上端部を前記シャッタケースに差込み、その後下端部を凹部に落込んでいる。
【０００４】
シャッタが設けられる場所によっては、強風が直接シャッタに吹付け、中柱が撓む状態となる場合があり、撓みが大きくなると中柱の下端が持上がり、凹部から外れる可能性が出てくる。
【０００５】
強風が吹付ける様な場所に設けられるシャッタでは耐風構造を有する中柱が設けられる。
【０００６】
耐風構造を具備するシャッタの中柱としては、従来特許文献１に示される様なものがある。図１３、図１４により略述する。
【０００７】
床に、ボックス１が埋設され、該ボックス１の上面はキャッチ２により開閉可能となっており、該キャッチ２にはスリット孔３が穿設され、前記ボックス１の上面にも受け孔９が穿設されている。中柱４の下端部には上端部、下端部が水平方向に屈曲されたコの字状のガイド５が固着され、該ガイド５の中途部に水平方向に突出する張出し板６が固着されている。
【０００８】
前記ガイド５の上端部、下端部、及び前記張出し板６に案内され、上下方向に摺動可能な落し板７が設けられ、該落し板７は前記張出し板６に螺合する蝶ボルト８により任意な位置に固定できる様になっている。
【０００９】
前記中柱４を固定する場合は、前記落し板７を引上げ、前記蝶ボルト８により固定しておき、前記キャッチ２を垂直状態としておく。前記中柱４の上端部を図示しないシャッタケースに差込み、前記ガイド５の下端部を前記スリット孔３に差込む。前記蝶ボルト８を緩め、前記落し板７を前記ガイド５の下端部に貫通させた後、前記受け孔９に落込み、前記蝶ボルト８を締めて前記落し板７を固定する。
【００１０】
而して、前記中柱４は上下方向は前記ガイド５の下端部が前記スリット孔３に嵌合することで拘束され、前記中柱４下端部の水平方向は前記落し板７が前記受け孔９に嵌合することで、拘束される。
【００１１】
【特許文献１】
実公昭５８−５１３５６号公報
【００１２】
【発明が解決しようとする課題】
上記した、従来のシャッタ用中柱では上下方向、水平方向が拘束でき、耐風機能は果せるが、前記キャッチ２を開閉可能とする、前記落し板７を摺動自在に支持し、該落し板７を固定できる構造とする等構造が複雑であり、更に前記中柱４を固定する為には、前記ガイド５の下端部を前記スリット孔３に差込み、前記落し板７を前記受け孔９に差込むという２動作となり、取付け作業に手間が掛っていた。
【００１３】
本発明は斯かる実情に鑑み、簡単な構造で而も取付け作業が簡単なシャッタ用中柱を提供するものである。
【００１４】
【課題を解決するための手段】
本発明は、中柱の下端に下方に突出する突出部を設け、床面側に前記突出部が嵌入する受け部を設け、前記中柱に水平方向の力が作用して撓み前記突出部が上昇した場合に水平方向に変位する様にし、前記受け部には前記突出部の上昇と水平方向の変位で該突出部に係合する部材を設け、前記突出部と前記部材の係合により前記突出部の上方への移動を拘束する様構成したシャッタ用中柱に係り、又前記突出部は欠切部が形成された平板形状であり、前記部材は受け部の上面に設けられ、前記突出部が嵌入するスリット状の受け孔が穿設されているシャッタ用中柱に係り、又前記突出部は溝が形成されたピンであり、前記部材は受け部の上面に設けられ、前記突出部が嵌入する円形の受け孔が穿設されているシャッタ用中柱に係り、又前記突出部は、狭幅部と下端にフランジを有し、前記部材は受け部の上面に設けられ、前記突出部が嵌入する受け孔が穿設されているシャッタ用中柱に係り、又前記突出部は下端部が狭幅部となっており、該狭幅部に孔が設けられ、前記部材は受け部の側面に設けられ、前記孔に嵌合可能なピンであるシャッタ用中柱に係り、更に又少なくとも１つの回止め用の副突出部を設けたシャッタ用中柱に係るものである。
【００１５】
【発明の実施の形態】
以下、図面を参照しつつ本発明の実施の形態を説明する。
【００１６】
図１、図２に於いて、１１は床、１２は床１１に設けられた受け部としての凹部である。
【００１７】
該凹部１２の上面には中柱固定板１３が設けられ、これにより前記凹部１２が閉塞され、該中柱固定板１３には図５に示される様に、スリット状の主受け孔１４、副受け孔１５，１５が平行に穿設されている。前記受け孔１４と前記副受け孔１５，１５は同一形状をしている。
【００１８】
中柱１６はガイドレール１７ａ，１７ｂを背中合せに一体化したものであり、前記中柱１６の下端には図４に示される下端固定具１８が取付けられている。
【００１９】
該下端固定具１８は板金加工品であり、板材を折返すことで、下面中央部に平板形状の主突出部１９が形成され、同様に両脇に副突出部２１，２１が形成されている。前記主突出部１９、副突出部２１の方向は床面及び後述するシャッタカーテンに対して垂直となっている。前記主突出部１９と副突出部２１、及び該副突出部２１と前記主突出部１９との間に短冊片がそれぞれ相対向する様に折上げられて嵌合部２２，２３が形成されている。尚、前記主突出部１９、副突出部２１は別途製作し、溶接、螺子止め等で前記下端固定具１８或は前記中柱１６に一体化してもよい。又、前記副突出部２１は主突出部１９と同一形状としてもよい。
【００２０】
前記下端固定具１８が前記中柱１６に取付けられた状態では、前記嵌合部２２は前記ガイドレール１７ａの側面に当接する様に嵌合し、前記嵌合部２３は前記ガイドレール１７ｂの側面に当接する様に嵌合し、前記嵌合部２２と嵌合部２３との間にガイドレール１７ａ，１７ｂの底部が挿入される様になっている。
【００２１】
前記主突出部１９は、下端両角が面取り加工され、下端から所要量上昇した位置に台形形状の欠切部２４，２４が形成されている。前記副突出部２１の突出長さは、前記主突出部１９の突出基端から前記欠切部２４迄の長さと同等又は略同等であり、前記副突出部２１の下端両角の形状は、前記欠切部２４の上半部と同形状に欠切されている。
【００２２】
前記主突出部１９、副突出部２１の基部は、前記主受け孔１４、副受け孔１５とそれぞれ嵌合する様になっており、前記欠切部２４には前記中柱固定板１３が嵌入可能となっている。
【００２３】
尚、図３中、２５は前記ガイドレール１７ａ，１７ｂによりガイドされ昇降するシャッタカーテンである。
【００２４】
図６を参照して、作動について説明する。
【００２５】
前記中柱１６を取付ける場合は、該中柱１６の上端部を図示しないシャッタケースに差込み、前記主突出部１９を前記主受け孔１４に落込み、嵌合させる。この時、前記副突出部２１，２１も前記副受け孔１５，１５に嵌合する。前記副突出部２１，２１が前記副受け孔１５，１５に嵌合することで、前記中柱１６の回転が規制される。前記主突出部１９が前記主受け孔１４に嵌合し、前記副突出部２１，２１が前記副受け孔１５，１５に嵌合した状態で、前記中柱１６の取付けが完了する。
【００２６】
前記シャッタカーテン２５は前記中柱１６のガイドレール１７ａ，１７ｂにそれぞれガイドされて開閉可能となる。
【００２７】
前記シャッタカーテン２５が閉じられた状態で、強風が図中左方から右方に向って吹くと、風圧により前記中柱１６が撓み、該中柱１６の下端部が上方に変位する。この時の変位の状態は前記主突出部１９が前記主受け孔１４の図中右方に押付けられながら上方に移動する。この為、前記欠切部２４が前記中柱固定板１３の高さ迄移動すると、前記欠切部２４に前記主受け孔１４の縁が嵌合し、上方への移動が拘束され、前記主突出部１９は前記主受け孔１４から抜脱しない。
【００２８】
前記副突出部２１の下端部は前記欠切部２４と同様な形状をしているので、前記主受け孔１４の縁が前記欠切部２４に嵌合することに影響を与えない。又、前記主受け孔１４の縁が前記欠切部２４に嵌合した状態での、前記中柱１６の回転を規制する。
【００２９】
図７は第２の実施の形態に使用される下端固定具１８を示しており、上記第１の実施の形態に於ける主突出部１９、副突出部２１を下端固定具１８とは別途に製作したピンとしたものである。
【００３０】
即ち、主突出部１９の代わりに主突出ピン２６、副突出部２１の代わりに副突出ピン２７を前記下端固定具１８の下面に固着したものである。前記主突出ピン２６には前記欠切部２４と同形状の溝２８を刻設し、前記副突出ピン２７の突出長さは前記主突出ピン２６の突出基端から前記溝２８迄の長さと同等又は略同等となっている。又、前記中柱固定板１３にはスリット孔ではなく、前記主突出ピン２６、副突出ピン２７の基部にそれぞれ嵌合する円形の受け孔である円孔（図示せず）を穿設したものである。尚、前記副突出ピン２７は前記主突出ピン２６と同形状としてもよい。
【００３１】
該第２の実施の形態でも、中柱１６の下端部が上昇することで、円孔の縁が前記溝２８に嵌合して前記中柱１６の上方への移動を拘束する。
【００３２】
図８は第３の実施の形態を示している。
【００３３】
床１１に受け部としての凹部１２を形成するボックス３１を埋設し、該ボックス３１の側面（シャッタカーテンと平行な側面）に凸部であるピン３２を立設する。中柱１６の下端には下方に突出する突出部である下端固定具３３を固着する。該下端固定具３３の断面は下端部が狭幅となっている倒立凸形状をしており、該下端固定具３３の下部側面（シャッタカーテンと平行な側面）には、前記ピン３２が嵌合可能な受け孔３４が穿設されている。
【００３４】
前記中柱１６が前記凹部１２に落込まれた状態では、前記下端固定具３３の基部が前記凹部１２に嵌合しており、前記中柱１６は前記凹部１２に前記下端固定具３３を介してガタツキなく固定されている。
【００３５】
シャッタカーテン２５に風圧が作用し、前記中柱１６の下端部が上方に移動すると、前記下端固定具３３の基部が前記凹部１２から外れ、前記中柱１６の下端部は図中右方へ変位可能となる。更に、前記受け孔３４の高さが前記ピン３２と合致すると、該ピン３２が前記受け孔３４に嵌合して、前記中柱１６下端部の上方への移動を拘束する。即ち、該中柱１６が抜止めされる。
【００３６】
図９は、前記主突出部１９の形状の変更例を示している。
【００３７】
図９（Ａ）は該主突出部１９に形成される欠切部２４が直角台形形状をしており、該欠切部２４の下側辺が傾斜しており、図９（Ｂ）は該欠切部２４が直角台形形状をしており、該欠切部２４の上側辺が傾斜している場合を示している。
【００３８】
該欠切部２４の形状については、シャッタの設置状態等を考慮し、適宜決定すればよい。
【００３９】
又、風圧が一方向のみから作用することが分っている場合は、図９（Ｃ）に示す様に、前記欠切部２４を風圧に対して前記主突出部１９の下流側のみに形成すればよい。
【００４０】
又、上記実施の形態では、前記主突出部１９を中央に設けたが、図１の副突出部２１，２１の位置に主突出部１９を２つ設けてもよい、この場合、中央の主突出部１９及び副突出部２１は省略できる。
【００４１】
図１０、図１１は第４の実施の形態に使用される下端固定具１８を示しており、該第４の実施の形態では、突出部３５，３５を両端部に有している。
【００４２】
下端固定具本体３６は底部３７に嵌合部２２、嵌合部２３を上方に折上げ形成した側断面が略凹形状をしており、前記底部３７の両端部に前記突出部３５がスポット溶接等により固着されている。
【００４３】
該突出部３５は帯状の板を屈曲成形したものであり、平坦な上面を有する略Ω形状の側断面を有している。即ち、上面に対して下方に直角に折下げられ平行な平面で形成される幅広部３５ａ、更に下部に形成される狭幅部３５ｂ、下端に水平方向に折曲げられて形成されたフランジ部３５ｃから構成されている。該フランジ部３５ｃは前記幅広部３５ａと同幅寸法を有し、前記狭幅部３５ｂは図２の欠切部２４、図７の溝２８と同等の機能を有している。
【００４４】
図１２は、床に形成された受け部としての凹部１２（図２参照）の上面に設けられる中柱固定板１３を示しており、該中柱固定板１３は２箇所に前記突出部３５，３５が嵌脱可能な、矩形の受け孔３８，３８が穿設されている。該受け孔３８の形状は前記幅広部３５ａ断面の外形形状と略同形状となっている。
【００４５】
中柱１６を取付けた状態では、前記突出部３５，３５の前記幅広部３５ａ，３５ａが前記受け孔３８，３８に嵌合しており、ガタツキ、回転が抑制されている。
【００４６】
シャッタカーテン２５に風圧が作用し、前記中柱１６が撓み下端部が上昇すると、前記幅広部３５ａが前記受け孔３８から外れ、該受け孔３８の縁に前記狭幅部３５ｂが押圧される。更に、前記フランジ部３５ｃが前記受け孔３８の縁部に係合して上方の移動が拘束され、前記中柱１６の下端部が抜けることはない。
【００４７】
尚、第４の実施の形態に於いて、前記突出部３５の変形、特に前記フランジ部３５ｃの中心側への変位を防止する為、前記突出部３５の端面に前記狭幅部３５ｂと同幅の補強板を溶接してもよい。
【００４８】
又、前記突出部３５は合成樹脂等によるモールド成型品であってもよい。
【００４９】
更に、突出部の形状は種々考えられ、要は突出部が床面側の受け部に嵌合可能で、風圧により、所要量上方に移動した場合に、水平方向の変位が生じることで、突出部と受け部とが係合する様になっていればよい。
【００５０】
【発明の効果】
以上述べた如く本発明によれば、中柱の下端に下方に突出する突出部を設け、床面側に前記突出部が嵌入する受け部を設け、前記中柱に水平方向の力が作用して撓み前記突出部が上昇した場合に水平方向に変位する様にし、前記受け部には前記突出部の上昇と水平方向の変位で該突出部に係合する部材を設け、前記突出部と前記部材の係合により前記突出部の上方への移動を拘束する様構成したので、シャッタカーテンに風圧が作用して中柱が撓む様な状況となった場合でも、中柱が外れることを防止し、又構造が簡単であり、中柱の取付けは中柱の下端部を単に床面側の受け部に落込むだけでよく作業が簡単であるという優れた効果を発揮する。
【図面の簡単な説明】
【図１】本発明の第１の実施の形態を示す要部正面図である。
【図２】本発明の第１の実施の形態を示す要部側断面図である。
【図３】本発明の第１の実施の形態を示す要部平面図である。
【図４】本発明の第１の実施の形態に使用される下端固定具の正面図である。
【図５】本発明の第１の実施の形態に使用される中柱固定板の平面図である。
【図６】本発明の第１の実施の形態の作動を示す説明図である。
【図７】本発明の第２の実施の形態に使用される下端固定具の正面図である。
【図８】本発明の第３の実施の形態を示す要部断面図である。
【図９】（Ａ）（Ｂ）（Ｃ）はそれぞれ本発明に於ける主突出部の変更例である。
【図１０】本発明の第４の実施の形態に使用される下端固定具の正面図である。
【図１１】本発明の第４の実施の形態に使用される下端固定具の側面図である。
【図１２】本発明の第４の実施の形態に使用される中柱固定板の平面図である。
【図１３】従来例の正面図である。
【図１４】従来例の側断面図である。
【符号の説明】
１１        床
１２        凹部
１３        中柱固定板
１４        主受け孔
１６        中柱
１８        下端固定具
１９        主突出部
２１        副突出部
２６        主突出ピン
３２        ピン
３３        下端固定具
３４        受け孔
３５        突出部
【図１】
2004156212.tif 000003
【図２】
2004156212.tif 000004
【図３】
2004156212.tif 000005
【図４】
2004156212.tif 000006
【図５】
2004156212.tif 000007
【図６】
2004156212.tif 000008
【図７】
2004156212.tif 000009
【図８】
2004156212.tif 000010
【図９】
2004156212.tif 000011
【図１０】
2004156212.tif 000012
【図１１】
2004156212.tif 000013
【図１２】
2004156212.tif 000014
【図１３】
2004156212.tif 000015
【図１４】
2004156212.tif 000016